(57)【要約】【課題】  画像伸縮や回転、湾曲といった色ずれの種類ごとに補正方法を変更することによって、色ずれ量を低減することができる色ずれ補正方法、色ずれ補正装置、色ずれ補正媒体を提供する。【解決手段】  印刷時の色ずれ補正のために、生じた色ずれの種類ごとに色ずれ補正方法を対応させるシステムにおいて、対象デバイスの印刷結果から色ずれ補正を行うかどうか判断するステップと、色ずれ補正アプリケーションから色ずれ補正箇所を選択するステップと、選択された色ずれ補正箇所の色ずれの種類を選択し、それぞれの色ずれ種類に対応した補正を行うステップと、色ずれ補正されたデータを再度レンダリングし、印刷するステップを有することを特徴とする。【選択図】        図１
2006165662.tif 000002
【特許請求の範囲】
【請求項１】
印刷時の色ずれ補正のために、生じた色ずれの種類ごとに色ずれ補正方法を対応させるシステムにおいて、対象デバイスの印刷結果から色ずれ補正を行うかどうか判断するステップと、色ずれ補正アプリケーションから色ずれ補正箇所を選択するステップと、選択された色ずれ補正箇所の色ずれの種類を選択し、それぞれの色ずれ種類に対応した補正を行うステップと、色ずれ補正されたデータを再度レンダリングし、印刷するステップを有することを特徴とする色ずれ補正方法。
【請求項２】
請求項１記載の、対象デバイスの印刷結果から色ずれ補正を行うかどうか判断するとは、対象デバイスに印刷命令を出しドキュメントを印刷するステップと、その印刷結果に色ずれが生じたため、品位が低下したかどうか評価するステップと、評価結果をふまえ手動で色ずれを補正するかどうか判定するステップを有することを特徴とする色ずれ補正方法。
【請求項３】
請求項１記載の、色ずれ補正アプリケーションから色ずれ補正箇所を選択するとは、色ずれを補正すると判定した場合に、色ずれ補正アプリケーションを起動させるステップと、対象デバイスのプロセスカラーごとに入力データを表示させるステップと、そのプロセスカラーごとの入力データから、色ずれを補正する箇所の選択を行うステップを有することを特徴とする色ずれ補正方法。
【請求項４】
請求項１記載の、選択された色ずれ補正箇所の色ずれの種類を選択し、それぞれの色ずれ種類に対応した補正を行うとは、対象となる色ずれ補正箇所に対し、色ずれの種類を伸縮、回転、湾曲、移動から選択するステップと、色ずれの種類に伸縮が選択された場合、選択オブジェクトを色ずれが生じた方向と逆方向に拡大・縮小を行うステップと、色ずれの種類に回転が選択された場合、選択オブジェクトを色ずれが生じた方向と逆方向に回転させるステップと、色ずれの種類に湾曲が選択された場合、選択オブジェクトの湾曲によって生じる部分を一部削除・付加するステップと、色ずれの種類に移動が選択された場合、選択オブジェクトを色ずれが生じた方向と逆方向に平行移動を行うステップを有することを特徴とする色ずれ補正方法。
【請求項５】
請求項１記載の、色ずれ補正されたデータを再度レンダリングし、印刷するとは、入力データ内の全てのオブジェクトに対して、色ずれ補正が終了したかどうかを判定するステップと、終了していない場合、色ずれ補正を行うオブジェクトが無くなるまで、繰り返し補正処理を行うステップと、補正が必要な全てのオブジェクトに対して色ずれ補正が終了した場合、入力データを再度レンダリングするステップと、レンダリングにより出力されたイメージを再印刷するステップを有することを特徴とする色ずれ補正方法。
【請求項６】
印刷時の色ずれ補正のために、生じた色ずれの種類ごとに色ずれ補正方法を対応させるシステムにおいて、対象デバイスの印刷結果から色ずれ補正を行うかどうか判断する手段と、色ずれ補正アプリケーションから色ずれ補正箇所を選択する手段と、選択された色ずれ補正箇所の色ずれの種類を選択し、それぞれの色ずれ種類に対応した補正を行う手段と、色ずれ補正されたデータを再度レンダリングし、印刷する手段を有することを特徴とする色ずれ補正装置。
【請求項７】
請求項６記載の、対象デバイスの印刷結果から色ずれ補正を行うかどうか判断するとは、対象デバイスに印刷命令を出しドキュメントを印刷する手段と、その印刷結果に色ずれが生じたため、品位が低下したかどうか評価する手段と、評価結果をふまえ手動で色ずれを補正するかどうか判定する手段を有することを特徴とする色ずれ補正装置。
【請求項８】
請求項６記載の、色ずれ補正アプリケーションから色ずれ補正箇所を選択するとは、色ずれを補正すると判定した場合に、色ずれ補正アプリケーションを起動させる手段と、対象デバイスのプロセスカラーごとに入力データを表示させる手段と、そのプロセスカラーごとの入力データから、色ずれを補正する箇所の選択を行う手段を有することを特徴とする色ずれ補正装置。
【請求項９】
請求項６記載の、選択された色ずれ補正箇所の色ずれの種類を選択し、それぞれの色ずれ種類に対応した補正を行うとは、対象となる色ずれ補正箇所に対し、色ずれの種類を伸縮、回転、湾曲、移動から選択する手段と、色ずれの種類に伸縮が選択された場合、選択オブジェクトを色ずれが生じた方向と逆方向に拡大・縮小を行う手段と、色ずれの種類に回転が選択された場合、選択オブジェクトを色ずれが生じた方向と逆方向に回転させる手段と、色ずれの種類に湾曲が選択された場合、選択オブジェクトの湾曲によって生じる部分を一部削除・付加する手段と、色ずれの種類に移動が選択された場合、選択オブジェクトを色ずれが生じた方向と逆方向に平行移動を行う手段を有することを特徴とする色ずれ補正装置。
【請求項１０】
請求項６記載の、色ずれ補正されたデータを再度レンダリングし、印刷するとは、入力データ内の全てのオブジェクトに対して、色ずれ補正が終了したかどうかを判定する手段と、終了していない場合、色ずれ補正を行うオブジェクトが無くなるまで、繰り返し補正処理を行う手段と、補正が必要な全てのオブジェクトに対して色ずれ補正が終了した場合、入力データを再度レンダリングする手段と、レンダリングにより出力されたイメージを再印刷する手段を有することを特徴とする色ずれ補正装置。
【請求項１１】
印刷時の色ずれ補正のために、生じた色ずれの種類ごとに色ずれ補正方法を対応させるシステムにおいて、対象デバイスの印刷結果から色ずれ補正を行うかどうか判断する手順と、色ずれ補正アプリケーションから色ずれ補正箇所を選択する手順と、選択された色ずれ補正箇所の色ずれの種類を選択し、それぞれの色ずれ種類に対応した補正を行う手順と、色ずれ補正されたデータを再度レンダリングし、印刷する手順を有することを特徴とする色ずれ補正媒体。
【請求項１２】
請求項１１記載の、対象デバイスの印刷結果から色ずれ補正を行うかどうか判断するとは、対象デバイスに印刷命令を出しドキュメントを印刷する手順と、その印刷結果に色ずれが生じたため、品位が低下したかどうか評価する手順と、評価結果をふまえ手動で色ずれを補正するかどうか判定する手順を有することを特徴とする色ずれ補正媒体。
【請求項１３】
請求項１１記載の、色ずれ補正アプリケーションから色ずれ補正箇所を選択するとは、色ずれを補正すると判定した場合に、色ずれ補正アプリケーションを起動させる手順と、対象デバイスのプロセスカラーごとに入力データを表示させる手順と、そのプロセスカラーごとの入力データから、色ずれを補正する箇所の選択を行う手順を有することを特徴とする色ずれ補正媒体。
【請求項１４】
請求項１１記載の、選択された色ずれ補正箇所の色ずれの種類を選択し、それぞれの色ずれ種類に対応した補正を行うとは、対象となる色ずれ補正箇所に対し、色ずれの種類を伸縮、回転、湾曲、移動から選択する手順と、色ずれの種類に伸縮が選択された場合、選択オブジェクトを色ずれが生じた方向と逆方向に拡大・縮小を行う手順と、色ずれの種類に回転が選択された場合、選択オブジェクトを色ずれが生じた方向と逆方向に回転させる手順と、色ずれの種類に湾曲が選択された場合、選択オブジェクトの湾曲によって生じる部分を一部削除・付加する手順と、色ずれの種類に移動が選択された場合、選択オブジェクトを色ずれが生じた方向と逆方向に平行移動を行う手順を有することを特徴とする色ずれ補正媒体。
【請求項１５】
請求項１１記載の、色ずれ補正されたデータを再度レンダリングし、印刷するとは、入力データ内の全てのオブジェクトに対して、色ずれ補正が終了したかどうかを判定する手順と、終了していない場合、色ずれ補正を行うオブジェクトが無くなるまで、繰り返し補正処理を行う手順と、補正が必要な全てのオブジェクトに対して色ずれ補正が終了した場合、入力データを再度レンダリングする手順と、レンダリングにより出力されたイメージを再印刷する手順を有することを特徴とする色ずれ補正媒体。
【発明の詳細な説明】
【技術分野】
【０００１】
本発明は、印刷装置、情報処理装置及び管理装置及びそれらの制御方法ならびにそれらを記憶する記憶媒体に関し、特に色ずれ補正方法、色ずれ補正装置、色ずれ補正媒体に係る。
【背景技術】
【０００２】
色ずれ（レジずれ、版ずれとも呼ばれる）は、印刷品位を落とし、高品位な出力結果を望むユーザーにとって大きな問題となる。ソフト的に色ずれを補正する技術としてトラッピング処理があるが、トラッピングは異なるカラー間の境界において、一方のカラー領域を太らせることによって色ずれが生じても紙の地が出ること（ホワイトギャップ）を防ぐ技術である。このようにトラッピングはホワイトギャップに特化した補正技術であり、色ずれ全般の補正を行うことはできない。
【特許文献１】特開２０００−１９６９０６号公報
【発明の開示】
【発明が解決しようとする課題】
【０００３】
本発明は、上述の問題点に着目してなされたものであって、ホワイトギャップに特化せず、画像伸縮や回転、湾曲といった色ずれの種類ごとに補正方法を変更することによって、色ずれ量を低減することができ、印刷結果から色ずれに関して評価し、色ずれ部分に対して予めデータ変換することで、再印刷時に色ずれを抑制することができる色ずれ補正方法、色ずれ補正装置、色ずれ補正媒体を提供することを目的とする。
【課題を解決するための手段】
【０００４】
本発明は、印刷時の色ずれ補正のために、生じた色ずれの種類ごとに色ずれ補正方法を対応させるシステムにおいて、対象デバイスの印刷結果から色ずれ補正を行うかどうか判断するステップと、色ずれ補正アプリケーションから色ずれ補正箇所を選択するステップと、選択された色ずれ補正箇所の色ずれの種類を選択し、それぞれの色ずれ種類に対応した補正を行うステップと、色ずれ補正されたデータを再度レンダリングし、印刷するステップを有することを特徴とする。
【発明の効果】
【０００５】
本発明は、印刷品位を保つために、色ずれ量の低減を重視するユーザーにとって、色ずれの種類ごとに補正方法を変え、手動で色ずれを補正することにより、印刷結果に色ずれが含まれることを低減するシステムである。色ずれの種類ごとに補正方法を変えることで、各色ずれに最適な補正が可能となる。
【発明を実施するための最良の形態】
【０００６】
次に発明の実施例について説明する。
【実施例】
【０００７】
図１は、本実施例に係る基本的な構成を示すブロック図である。
【０００８】
図１において１はＣＰＵ、即ち中央処理装置であり、本装置全体の制御及び演算処理を行う。２はＲＡＭ、即ちランダムアクセスメモリであり、処理毎にそれぞれのプログラム及びデータがロードされ、実行される領域である。３はＲＯＭ、即ち読み出し専用メモリであり、システム制御プログラムや、フォントデータなどの記憶領域である。４はＫＢＣ、即ちキーボード制御部であり、キーボード５（ＫＢ）からのキー入力によりデータを受け取りＣＰＵ１へ伝達する。６はＰＲＴＣ、即ちプリンタ制御部であり、プリンタ装置７（ＰＲＴ）を制御するためのものである。プリンタ装置７は、レーザービームプリンタ、インクジェットプリンタなどである。８はＣＲＴＣ、即ちディスプレイ制御部であり、ディスプレイ装置９（ＣＲＴ）への表示制御を行う。１０はＤＫＣ、即ちディスク制御部であり、データ伝送などの制御を行うものである。１１はＦＤ（フロッピー（登録商標）ディスク装置）あるいはＨＤ（ハードディスク装置）あるいはＣＤ（ＣＤＲＯＭ）などの外部記憶装置であり、プログラム及びデータを記憶させておき、実行時必要に応じて参照またはＲＡＭ２へロードする。１２はシステムバスであり、上述の構成要素間におけるデータ転送の通路となるべきものである。
【０００９】
本装置は、基本Ｉ／Ｏ（入出力）プログラム、ＯＳ（オペレーティングシステム）、及び以下に説明する版ずれ補正プログラムをＣＰＵ１が実行することにより動作する。
【００１０】
基本Ｉ／ＯプログラムはＲＯＭ３に記憶されており、ＯＳはＨＤ１１に書き込まれている。そして本装置の電源がＯＮにされたとき、基本Ｉ／Ｏプログラム中のＩＰＬ（イニシャルプログラムローディング）機能によりＨＤ１１からＯＳがＲＡＭ２に読み込まれ、ＯＳの動作が開始される。
【００１１】
本実施例では、版ずれ補正制御プログラムおよび関連データは図２のようにＦＤ１１、またはＣＤＲＯＭ１１中に記録されており、このＦＤ１１またはＣＤ−ＲＯＭ１１に記録された版ずれ補正制御プログラムおよび関連データは図３に示すように、ＦＤドライブまたはＣＤ−ＲＯＭドライブを通じて、本装置のＨＤ１１にインストールする事ができる。この場合ＦＤ１１またはＣＤ−ＲＯＭ１１をＦＤドライブまたはＣＤ−ＲＯＭドライブにセットすると、ＯＳ及び基本Ｉ／Ｏプログラムの制御のもとに版ずれ補正制御プログラム及び関連データがＦＤ１１またはＣＤ−ＲＯＭ１１から読み出され、ＨＤ１１にインストールされて動作可能となる。
【００１２】
図４は版ずれ補正制御プログラムがＨＤ１１にインストールされ実行可能になった状態のメモリマップを示す。
【００１３】
図５は本実施例における色ずれの種類に対応した補正方法を適用させるフローチャートである。
【００１４】
ステップＳ５０１では、まず入力ドキュメントを印刷する。次にステップＳ５０２に進み、その印刷結果をユーザーが見て色ずれに関する品位を評価する。次にステップＳ５０３に進み、ユーザー側で色ずれ補正をするかどうか判定する。色ずれ補正を行わない場合、ステップＳ５１４に進み、特別な処理は行わず再印刷を行う。ステップＳ５０３において、色ずれ補正を行うと判定した場合、ステップＳ５０４に進み、色ずれ補正のアプリケーションを起動する。次にステップ５０５に進み、対象デバイスにおけるプロセスカラーごとに入力ドキュメントを表示する。次にステップＳ５０６に進み、ユーザーが色ずれを補正する箇所を選択する。次にステップＳ５０７に進み、選択した色ずれ箇所の色ずれ種類を選択する。ステップＳ５０７において、色ずれの種類に伸縮が選択された場合、ステップＳ５０８に進む。伸縮は図６に模式図を示すようにオブジェクトがプロセスカラーごとに伸縮し、結果として色ずれが生じるものである。ステップＳ５０８では、対象としたオブジェクトを拡大または縮小する。色ずれ方向と逆方向に拡大・縮小処理を予め行うことによって、再印刷した結果はプロセスカラーごとのオブジェクトが重なり合い、色ずれが発生しない可能性が高い。ステップＳ５０７において、色ずれの種類に回転が選択された場合、ステップＳ５０９に進む。回転は図６に模式図を示すようにオブジェクトがプロセスカラーごとに回転し、結果として色ずれが生じるものである。ステップＳ５０９では、対象としたオブジェクトを回転する。色ずれしている方向と逆方向に回転させる。ステップＳ５０７において、色ずれの種類に湾曲が選択された場合、ステップＳ５１０に進む。湾曲は図６に模式図を示すようにオブジェクトがプロセスカラーごとに湾曲し、結果として色ずれが生じるものである。ステップＳ５１０では、対象としたオブジェクトの一部を削除または追加する。色ずれにより生じた余分な部分を削除、または色ずれにより生じた不足している部分を付加する。ステップＳ５０７において、色ずれの種類に移動が選択された場合、ステップＳ５１１に進む。移動は図６に模式図を示すようにオブジェクトがプロセスカラーごとに平行移動し、結果として色ずれが生じるものである。ステップＳ５１１では、対象としたオブジェクトの平行移動する。次にステップＳ５１２に進み、全てのオブジェクトに対して色ずれ補正が終了したかどうかの判定を行う。まだ、全てのオブジェクトに対して色ずれ補正が終了していない場合、ステップＳ５０６に戻り、再度色ずれ補正を行う。全てのオブジェクトに対して色ずれ補正が終了した場合、ステップＳ５１３に進み、入力データのレンダリング処理を行う。次にステップＳ５１４に進み、色ずれを予め補正されたデータで再印刷を行う。
【図面の簡単な説明】
【００１５】
【図１】実施例の情報処理装置の構成図である。
【図２】ＦＤまたはＣＤ−ＲＯＭの記録内容を示す図である。
【図３】ＦＤまたはＣＤ−ＲＯＭと情報処理装置の関係図である。
【図４】情報処理装置のハードディスクにＦＡＸドライバがインストールされた際の情報処理装置のメモリマップを示す図である。
【図５】実施例１の処理の流れを示したフローチャート図である。
【図６】色ずれの種類を表す模式図である。
【符号の説明】
【００１６】
１  ＣＰＵ
２  ＲＡＭ
３  ＲＯＭ
４  ＫＢＣ
５  ＫＢ
６  ＰＲＴＣ
７  ＰＲＴ
８  ＣＲＴＣ
９  ＣＲＴ
１０  ＤＫＣ
１１  外部記憶装置
１２  システムバス
【図１】
2006165662.tif 000003
【図２】
2006165662.tif 000004
【図３】
2006165662.tif 000005
【図４】
2006165662.tif 000006
【図５】
2006165662.tif 000007
【図６】
2006165662.tif 000008